(57)【要約】【課題】レーザ光源およびレーザ駆動回路周辺の温度上昇を抑制して、信頼性が高く高密度な記録を可能とする。【解決手段】光ディスク３に対してデータの記録・再生を行うための光ディスクドライブ装置において、ハウジングに対してレーザ光源５およびレーザ駆動回路６を装着することにより光ピックアップ１を形成する。ハウジングは、レーザ駆動回路６の装着位置から斜め下方向に突き出た斜め板７を有する。ハウジングが水平方向へ移動する際に斜め板７により引き起こされる風の流れを用いてレーザ駆動回路６を冷却する。【選択図】          図１
2004273043.tif 000002
【特許請求の範囲】
【請求項１】
光ディスクに対して所望の光ビームスポットを照射するためのレーザ光源と、フォーカシング、トラッキングおよびユーザデータの記録・再生を行うための対物レンズを含む光学系とを有し、
前記レーザ光源から出射された光ビームは前記光学系を通過して前記対物レンズで集光されて光ビームスポットとなり、前記光ディスクの再生・記録層に合焦された後、反射光となって前記対物レンズおよび前記光学系を通過して、複数に分割された受光素子に戻り、該受光素子間の光量差および位相差に応じて、前記光ビームスポットのフォーカシング、トラッキングおよびユーザデータの記録・再生が制御される光ピックアップを備えた光ディスクドライブ装置において、
前記光ピックアップは、ハウジングに対して前記レーザ光源およびレーザ駆動回路を装着することにより形成され、
前記ハウジングは、前記レーザ駆動回路の装着位置から斜め下方向に突き出た斜め板を有し、
前記ハウジングが水平方向へ移動する際に前記斜め板により引き起こされる風の流れを用いて前記レーザ駆動回路を冷却することを特徴とする光ディスクドライブ装置。
【請求項２】
前記斜め板は、幅方向の両端部が上方向内向きに折り曲げられていることを特徴とする請求項１記載の光ディスクドライブ装置。
【請求項３】
前記斜め板は、基端部側の略中央に開口部を有するとともに、該斜め板の下面側であって前記開口部よりも先端側に、該斜め板の突出方向とは逆方向に突出する補助斜め板を設け、
前記ハウジングが水平方向へ移動した際に前記斜め板および補助斜め板により引き起こされる風の流れを用いて前記レーザ駆動回路を冷却することを特徴とする請求項１または２記載の光ディスクドライブ装置。
【請求項４】
光ディスクに対して所望の光ビームスポットを照射するためのレーザ光源と、フォーカシング、トラッキングおよびユーザデータの記録・再生を行うための対物レンズを含む光学系とを有し、
前記レーザ光源から出射された光ビームは前記光学系を通過して前記対物レンズで集光されて光ビームスポットとなり、前記光ディスクの再生・記録層に合焦された後、反射光となって前記対物レンズおよび前記光学系を通過して、複数に分割された受光素子に戻り、該受光素子間の光量差および位相差に応じて、前記光ビームスポットのフォーカシング、トラッキングおよびユーザデータの記録・再生が制御される光ピックアップを備えた光ディスクドライブ装置において、
前記光ピックアップは、ハウジングに対して前記レーザ光源およびレーザ駆動回路を装着することにより形成され、
前記ハウジングは、前記レーザ駆動回路の装着位置の下側が斜め下方向に突出した突出部を有し、
前記ハウジングが水平方向へ移動した際に前記突出部により引き起こされる風の流れを用いて前記レーザ駆動回路を冷却することを特徴とする光ディスクドライブ装置。
【請求項５】
前記光ピックアップが移動していないサーボオン状態で待機している際に、前記光ピックアップの移動手段を強制的に間欠駆動することにより、前記光ピックアップを内周側から外周側、および外周側から内周側に強制的に間欠移動させ、前記光ピックアップに装着されたレーザ駆動回路を冷却することを特徴とする請求項１〜４のうちいずれか１項記載の光ディスクドライブ装置。
【発明の詳細な説明】
【０００１】
【発明の属する技術分野】
本発明は、光ディスクドライブ装置に関し、特に、光ピックアップの冷却機構に特徴を有する記録型の光ディスクドライブ装置に関するものである。
【０００２】
【従来の技術】
従来の光ディスクドライブ装置では、レーザ光源は光ピックアップ内に実装されており、レーザ駆動回路は回路基板に実装されている。そして、光ピックアップと回路基板の間は、ＦＰＣなどのように柔軟性をもつ回路部材で接続されている。
【０００３】
図６を参照して、従来の一般的な光ディスクドライブ装置を説明する。図６は、従来の光ディスクドライブ装置の概略構成を示す模式図である。
【０００４】
従来の光ディスクドライブ装置１５は、図６に示すように、光ピックアップ駆動機構（図示せず）、光ピックアップ１、光ディスク３を回転制御するためのスピンドルモータ２、および回路基板１６を備えて構成されている。また、レーザ駆動回路６は回路基板１６に装着されており、光ピックアップ１とレーザ駆動回路６とはＦＰＣ１８により接続されている。さらに、筐体の側面にファン１７を装着して装置内部の放熱を行っている。
【０００５】
近年、相変化方式や有機色素方式の光ディスクが出現している。これらの記録方式では、ディスク上の特定のトラックに対して、１つのピット（データ）を形成する場合に、隣接するトラックに影響を及ぼすことなく記録を行う必要がある。また、高密度化に伴い、ピット形成部と非形成部を急峻に変化させる必要がある。
【０００６】
このような事情により、いわゆるマルチパルス法といわれる記録方法が採用されている。データの信頼性確保のためには、レーザ光源を、再生パワーから記録可能な高パワーまで、ナノ秒（通常１〜３ナノ秒）で立ち上げたり、立ち下げる必要がある。この値が小さい程、より高信頼性のあるデータ記録が可能となり、さらに高密度な記録が可能となる。
【０００７】
【発明が解決しようとする課題】
しかしながら、従来の技術のように、レーザ光源とレーザ駆動回路をＦＰＣ等を用いて接続する方法では、ＦＰＣ等からなる中間回路部材における浮遊容量が問題となり、所望するレーザ光源の立ち上がり、立ち下りを得ることが極めて困難となる。
このため、レーザ駆動回路をレーザ光源に近い所、すなわち、光ピックアップのハウジングに取り付ける方法が採用されている。
【０００８】
上述した通り、レーザ光源の高パワー・高速立ち上げは、駆動回路からすると大電流の高速スイッチングとなり、駆動回路からの発熱が、光ピックアップ内やレーザ光源の温度上昇をまねき、レーザ光源の劣化など大きな問題となる。このため、発熱防止手段や空冷ファンによる放熱手段が設けられているが、それでも、レーザ光源やレーザ駆動回路周辺の温度上昇を抑制するには、まだ十分とはいえないのが実情である。
【０００９】
本発明は、上述した事情に鑑み提案されたもので、レーザ光源およびレーザ駆動回路周辺の温度上昇を抑制して、信頼性が高く高密度な記録が可能な光ディスクドライブ装置を提供することを目的とする。
【００１０】
【課題を解決するための手段】
本発明に係る光ディスクドライブ装置は、光ディスクに対して所望の光ビームスポットを照射するためのレーザ光源と、フォーカシング、トラッキングおよびユーザデータの記録・再生を行うための対物レンズを含む光学系とを有し、前記レーザ光源から出射された光ビームは前記光学系を通過して前記対物レンズで集光されて光ビームスポットとなり、前記光ディスクの再生・記録層に合焦された後、反射光となって前記対物レンズおよび前記光学系を通過して、複数に分割された受光素子に戻り、該受光素子間の光量差および位相差に応じて、前記光ビームスポットのフォーカシング、トラッキングおよびユーザデータの記録・再生が制御される光ピックアップを備えた光ディスクドライブ装置において、
前記光ピックアップは、ハウジングに対して前記レーザ光源およびレーザ駆動回路を装着することにより形成され、前記ハウジングは、前記レーザ駆動回路の装着位置から斜め下方向に突き出た斜め板を有し、前記ハウジングが水平方向へ移動する際に前記斜め板により引き起こされる風の流れを用いて前記レーザ駆動回路を冷却することを特徴とするものである。
【００１１】
この場合、前記斜め板は、幅方向の両端部が上方向内向きに折り曲げられていることが好ましい。
【００１２】
また、前記斜め板は、基端部側の略中央に開口部を有するとともに、該斜め板の下面側であって前記開口部よりも先端側に、該斜め板の突出方向とは逆方向に突出する補助斜め板を設け、前記ハウジングが水平方向へ移動した際に前記斜め板および補助斜め板により引き起こされる風の流れを用いて前記レーザ駆動回路を冷却することが好ましい。
【００１３】
また、前記光ピックアップは、ハウジングに対して前記レーザ光源およびレーザ駆動回路を装着することにより形成され、前記ハウジングは、前記レーザ駆動回路の装着位置の下側が斜め下方向に突出した突出部を有し、前記ハウジングが水平方向へ移動した際に前記突出部により引き起こされる風の流れを用いて前記レーザ駆動回路を冷却するように構成することが可能である。
【００１４】
また、前記光ピックアップが移動していないサーボオン状態で待機している際に、前記光ピックアップの移動手段を強制的に間欠駆動することにより、前記光ピックアップを内周側から外周側、および外周側から内周側に強制的に間欠移動させ、前記光ピックアップに装着されたレーザ駆動回路を冷却することが可能である。
【００１５】
本発明に係る光ディスクドライブ装置は、上述したように、レーザ光源を内蔵する光ピックアップハウジングのレーザ光源の近傍部に、レーザ駆動回路を絶縁装着している。そして、光ピックアップが水平移動する際に生じる光ピックアップへの空気の流れ（風の流れ）を、より有効にレーザ駆動回路部に導き、レーザ駆動回路を積極的に冷却することができる。
さらに、本発明に係る光ディスクドライブ装置は、空冷用ファンを設けること無くレーザ駆動回路部を冷却することができるので、製造コストを低減することが可能となる。
【００１６】
【発明の実施の形態】
以下、図面を参照して、本発明に係る光ディスクドライブ装置の一実施形態を説明する。
【００１７】
＜レーザ駆動回路の冷却＞
レーザ駆動回路によりレーザ光源を高速立ち上げするためには、レーザ駆動回路をレーザ光源が配設された光ピックアップにできるだけ近づけ、レーザ光源およびレーザ駆動回路の間の配線による浮遊容量を抑制することが重要である。しかしながら、レーザ駆動回路は発熱源でもあるため、その発熱によるレーザ光源の劣化を抑制するために、放熱対策を行うことが不可欠である。
【００１８】
そこで、本発明の実施形態に係る光ディスクドライブ装置では、レーザ光源の温度上昇による劣化を抑制し、かつ、レーザ光源の高速立ち上げを行うために、光ピックアップのハウジングに冷却手段を備えている。
【００１９】
＜実施例１＞
図１は、本発明の実施例１に係る光ディスクドライブ装置を側面から見た状態の概略構成図である。
【００２０】
実施例１に係る光ディスクドライブ装置は、図１に示すように、光ピックアップ１に対してレーザ光源５が光学条件を満足するよう取り付けられており、その近傍には、レーザ駆動回路６が光ピックアップ１のハウジングに対して絶縁された状態で装着されている。
【００２１】
この光ディスクドライブ装置では、レーザ光源５から出射された光ビームは対物レンズを含む光学系８を通過することにより集光されてスポット状の光ビーム４となり、光ディスク３の再生・記録層に合焦された後、反射光となって対物レンズを含む光学系８を通過して、複数に分割された受光素子（図示せず）に戻り、受光素子間の光量差および位相差に応じて、スポット状の光ビーム４のフォーカシング、トラッキングおよびユーザデータの記録・再生が制御される。なお、光ディスク３は、スピンドルモータ２により回転駆動される。
【００２２】
光ピックアップ１のハウジングは、レーザ駆動回路６の装着位置から斜め下方向に向かって突き出した斜め板７を有している。この斜め板７は、光ピックアップ駆動機構（図示せず）により、光ピックアップ１が水平（図１において左右方向）に動いた際に、空気の流れ（図１において符号ａで示す）が発生して、レーザ駆動回路６へ導く働きをする。
【００２３】
光ピックアップ１は、約６０ｍｍを０．１から０．３ミリ秒かかって移動する。すなわち、換算すると時速６０〜２１００ｍ程度の空気の流れが発生することになる。この空気の流れにより、レーザ駆動回路６の放熱が可能となる。
【００２４】
なお、図１においては、説明を容易とするため、光ピックアップ１が紙面右方向に動いたときの空気の流れ（ａ）のみを示しているが、当然に、レーザ駆動回路６に直接あたる空気による冷却効果もある。この斜め板７により、レーザ駆動回路６の熱は上方向へと流れ、光ディスク３の回転により広がって、局部的な温度上昇が抑制される。
【００２５】
＜実施例２＞
図２は、本発明の実施例２に係る光ディスクドライブ装置の光ピックアップの斜視図である。
【００２６】
実施例２に係る光ディスクドライブ装置は、実施例１に係る光ディスクドライブ装置と比較して、斜め板による冷却効果をより一層高めたものである。すなわち、図２に示すように、実施例２に係る光ピックアップ１のハウジングは、レーザ駆動回路６の装着位置から斜め下方向に向かって突き出した斜め板９を有している。この斜め板９は、幅方向の両端部が上方向内向きに折り曲げられた折り曲げ部１０となっており、斜め板９に当たった空気を中央に集めて、より効果的にレーザ駆動回路６を冷却することができるようになっている。
【００２７】
＜実施例３＞
図３は、本発明の実施例３に係る光ディスクドライブ装置の光ピックアップの斜視図である。
【００２８】
実施例３に係る光ディスクドライブ装置は、実施例１および実施例２に係る光ディスクドライブ装置と比較して、斜め板による冷却効果をより一層高めたものである。すなわち、図３に示すように、実施例３に係る光ピックアップ１のハウジングは、レーザ駆動回路６の装着位置から斜め下方向に向かって突き出した斜め板１１を有している。この斜め板１１は、基端部側の略中央に開口部１２を有するとともに、斜め板１１の下面側であって開口部１２よりも先端側に、斜め板１１の突出方向とは逆方向に突出する補助斜め板１３が設けられている。なお、開口部１２の形状は、角型、丸型等、どのような形状であってもよい。
【００２９】
実施例３に係る光ディスクドライブ装置では、光ピックアップ１が左右どちらに動いた際にも、斜め板１１および補助斜め板１３を介して、空気の流れ（図３中符号ａおよびｂで示す）が発生し、レーザ駆動回路６を空冷することができる。
【００３０】
＜実施例４＞
図４は、本発明の実施例４に係る光ディスクドライブ装置の光ピックアップの側面図である。
【００３１】
実施例４に係る光ディスクドライブ装置は、実施例１〜実施例３に係る光ディスクドライブ装置と比較して、斜め板と同様の機能を有する突出部を設けたものである。すなわち、図４に示すように、実施例４に係る光ピックアップ１のハウジングは、レーザ駆動回路６の装着位置の下側が斜め下方向に突出した突出部１４を有している。この突出部１４は、くさび形状となっており、光ピックアップ１が右に動いたとき空気の流れ（図４中、符号ａで示す）を発生させるものである。
【００３２】
＜光ピックアップの強制冷却＞
上述した斜め板７，９，１１および突出部１４は、光ディスクドライブ装置を使用中に、光ピックアップ１が高速で移動し、それに起因する空気の流れをレーザ駆動回路６の冷却に使用するものである。
【００３３】
ところが、電源を投入した状態で、光ディスク３の同一トラックを光ビーム４で追従させる、いわゆる、ユーザコマンド待ちのような待機状態の場合に、光ピックアップ１は、ほとんど移動しない。この場合、レーザ駆動回路６も再生状態であり、発熱も極めて少ないが、それ以前に記録状態となっている期間があり、レーザ駆動回路６の発熱が残っていることが考えられる。
【００３４】
図５を参照して、このような場合における光ピックアップ１の強制冷却の手順を説明する。図５は、光ピックアップの強制冷却の手順を示すフローチャートである。
【００３５】
すなわち、図５に示すように、光ディスクドライブ装置が待機状態か否かを判断し（Ｓ１）、光ディスクドライブ装置が駆動中には、光ピックアップ１の移動に伴い斜め板７，９，１１あるいは突出部１４により空気の流れを発生させて、レーザ駆動回路６等を冷却する（Ｓ２）。
【００３６】
一方、光ディスクドライブ装置が待機中には、光ピックアップ１を強制的に間欠移動させて、レーザ駆動回路６等を冷却する（Ｓ３）。
【００３７】
【発明の効果】
以上説明したように、本発明に係る光ディスクドライブ装置では、光ピックアップのハウジングに対して、レーザ駆動回路の装着位置の下側から斜め下方向に突き出た斜め板あるいは突出部を設けることにより、光ピックアップの移動に伴う空気の流れを生じさせることがきる。
【００３８】
したがって、この空気の流れにより、レーザ光源およびレーザ駆動回路を冷却することが可能となり信頼性が高く高密度な記録が可能な光ディスクドライブ装置を実現することができる。
【００３９】
さらに、光ディスクドライブ装置の放熱に使用されるファンを省略できる可能性もあり、コスト低減に貢献することができる。
【００４０】
また、斜め板の幅方向の両端部を上方向内向きに折り曲げることにより、斜め板による空気の流れが大きくなり、より効率的にレーザ光源およびレーザ駆動回路を冷却することが可能となる。
【００４１】
また、斜め板の基端部側の略中央に開口部を設けるとともに、斜め板の下面側であって開口部よりも先端側に、斜め板の突出方向とは逆方向に突出する補助斜め板を設けることにより、さらに効率的にレーザ光源およびレーザ駆動回路を冷却することが可能となる。
【図面の簡単な説明】
【図１】本発明の実施例１に係る光ディスクドライブ装置を側面から見た状態の概略構成図である。
【図２】本発明の実施例２に係る光ディスクドライブ装置の光ピックアップの斜視図である。
【図３】本発明の実施例３に係る光ディスクドライブ装置の光ピックアップの斜視図である。
【図４】本発明の実施例４に係る光ディスクドライブ装置の光ピックアップの側面図である。
【図５】光ピックアップの強制冷却の手順を示すフローチャートである。
【図６】従来の光ディスクドライブ装置の概略構成を示す模式図である。
【符号の説明】
１  光ピックアップ
２  スピンドルモータ
３  光ディスク
４  光ビーム
５  レーザ光源
６  レーザ駆動回路
７  斜め板（実施例１）
８  光学系
９  斜め板（実施例２）
１０  折り曲げ部
１１  斜め板（実施例３）
１２  開口部
１３  補助斜め板
１４  突出部
１５  光ディスクドライブ装置
１６  回路基板
１７  ファン
１８  ＦＰＣ
【図１】
2004273043.tif 000003
【図２】
2004273043.tif 000004
【図３】
2004273043.tif 000005
【図４】
2004273043.tif 000006
【図５】
2004273043.tif 000007
【図６】
2004273043.tif 000008